(57)【要約】【課題】連続して読み取られる複数枚の原稿の画像データが転送タイミングの齟齬により異常画像とならないようにする。【解決手段】原稿の読み取り動作が開始されると、自動原稿搬送装置によって原稿が給紙され（Ｓ１０１）、後続の原稿に関するＦＧＡＴＥ信号がアサートされ（Ｓ１０２）原稿の読み取りが行われる。次いで、前の原稿の画像データが転送中か否かをチェックし（Ｓ１０３）、転送中であれば前の原稿の転送処理が終了していないのでエラーと判断し（Ｓ１０５）、転送中でなければ後続の原稿の画像データが前の原稿の画像データと混じる虞はないので、転送処理を続行する（Ｓ１０４）。この画像データ転送中の後続の原稿の関するＦＧＡＴＥ信号のアサートを確認することにより、後続の原稿の画像データの受信を検知する。【選択図】図６
2009124391.tif 000002
【特許請求の範囲】
【請求項１】
原稿を読取可能な位置まで搬送する原稿搬送手段と、
前記原稿搬送手段により搬送された原稿を読み取る読取手段と、
前記読取手段が読み取った原稿の画像データを転送する転送手段と、
を備えた画像読取装置において、
前記転送手段によって先行の原稿の読み取りデータが転送されているときに、後続の原稿の読み取りデータの受信の有無を検知する検知手段と、
前記検知手段の検知結果に基づいて前記転送手段の転送処理の続否を判断する判断手段と、
を備えていることを特徴とする画像読取装置。
【請求項２】
請求項１記載の画像読取装置において、
前記検知手段は、後続の原稿の読み取りに関するＦＧＡＴＥ信号のアサートを認識したとき、後続の原稿の読み取りデータの受信とすることを特徴とする画像読取装置。
【請求項３】
請求項１記載の画像読取装置において、
１枚の原稿を転送するのに要する転送所要時間を記憶する記憶手段を備え、
前記検知手段は、先行の原稿の転送を開始してからの経過時間が前記転送所要時間を超えていた場合は、後続の原稿の読み取りデータの受信とすることを特徴とする画像読取装置。
【請求項４】
請求項３記載の画像読取装置において、
前記記憶手段は所定の読取条件毎の転送所要時間を記憶し、
前記検知手段は転送処理時の読取手段の状態に最も近似する読取条件の転送所要時間と前記経過時間とに基づいて検知することを特徴とする画像読取装置。
【請求項５】
原稿を読取可能な位置まで搬送する原稿搬送手段と、
前記原稿搬送手段により搬送された原稿を読み取る読取手段と、
前記読取手段が読み取った原稿の画像データを転送する転送手段と、
を備えた画像読取装置において、
ＦＧＡＴＥ信号を発生させる信号発生手段と、
前記信号発生手段によって前記一定間隔で発生するＦＧＡＴＥ信号について次原稿の読み取りに関するＦＧＡＴＥ信号が発生する所定時間前に前原稿の読み取りデータの転送処理が完了しているか否かを判定する判定手段と、
前記判定手段によって転送処理が完了していないと判定されたとき、後続の原稿の読み取りデータの受信とする検知手段と、
を備えていることを特徴とする画像読取装置。
【請求項６】
請求項５記載の画像読取装置において、
前記判定手段によって前原稿の読み取りデータの転送処理が完了していないと判定されたとき、前記信号発生手段は前記ＦＧＡＴＥ信号の発生を遅延させることを特徴とする画像読取装置。
【請求項７】
請求項１ないし４のいずれか１項に記載の画像読取装置と、
各部の制御を司るコントローラと、
を備えていることを特徴とする画像形成装置。
【請求項８】
請求項７記載の画像形成装置において、
前記判断手段の判断結果に基づいて前記画像読取装置から前記コントローラへ正常か異常かを通知することを特徴とする画像形成装置。
【請求項９】
請求項８記載の画像形成装置において、
前記判断手段が前記転送処理の継続を否と判断したとき、前記画像読取装置から前記コントローラへエラー通知、又は、原稿の再度の読み取りを促す通知を行うことを特徴とする画像形成装置。
【請求項１０】
請求項５又は６に記載の画像読取装置と、
各部の制御を司るコントローラと、
を備えていることを特徴とする画像形成装置。
【請求項１１】
請求項１０記載の画像形成装置において、
前記判定手段が前原稿の読み取りデータの転送処理が完了していないと判定したとき、画像読取装置から前記コントローラへエラー通知、又は、原稿の再度の読み取りを促す通知を行うことを特徴とする画像形成装置。
【請求項１２】
請求項８、９、及び１１のいずれか１項に記載の画像形成装置において、
前記通知を受けたとき、前記コントローラはその旨表示手段に表示させることを特徴とする画像形成装置。
【発明の詳細な説明】
【技術分野】
【０００１】
本発明は、原稿画像を読み取る画像読取装置及び画像読取装置を備えた画像形成装置に関する。
【背景技術】
【０００２】
一般に、画像読取装置には、コンタクトガラス上に置かれた原稿を露光走査ユニットが走査することにより読み取りを行うブックリード（フラットベッド）タイプと、スキャナ部の露光走査ユニットは移動せず、原稿を移動させて読み取るシートスルータイプと呼ばれる２つのタイプが知られている。特にシートスルータイプの画像読取装置は、連続して複数枚の原稿画像の読み取りができるので、生産性を向上させること、言い換えれば、単位時間あたりの読み取り原稿枚数を向上させることが課題となっている。
【０００３】
一方、原稿画像を受光素子で画像を読み取る際の光源である露光ランプの照度の主走査方向のばらつきや、点灯時間の経過による光量の変化を補正するため、原稿の読み取り毎に白濃度の基準となる白基準板を読み取り、そのデータをもとに出力を補正するシェーディング補正と呼ばれる補正を行っている。そのため、このシェーディング補正を効率よく行うことも要求されている。
【０００４】
これらの問題を解決するために、例えば特許文献１あるいは２に記載された発明が公知である。このうち特許文献１には、状況に応じてもっとも効率よくかつ正確にシェーディング補正を行い、読取り画像の質を落とすこと無く原稿毎の読取りの間隔を短くする事で原稿の画像読取りの生産性を向上させるため、固定原稿を露光走査ユニットが走査することにより読取りを行うブックリードタイプと、スキャナ部の露光走査ユニットに対して原稿を移動させて読取るシートスルータイプとの双方の読取り方式が可能な画像読取装置において、ＤＦシェーディング動作時間Ｔｓよりも、シートスルー動作をノンストップで行った場合のＤＦのシートスルー動作開始から原稿の先端が読取り位置に達するまでの所要時間Ｔｄが大きい場合には、原稿の連続読取りを行うことを特徴とする発明が開示されている。
【０００５】
また、特許文献２には、各種シートサイズに最適な循環経路の搬送速度を設定し、生産性向上を図るため、画像形成部と、画像形成が行われたシートを再度前記画像形成部に向けて循環させる循環経路と、循環経路に設けられ画像形成が行われたシートを再度画像形成部に向けて搬送する再搬送手段と、循環経路に設けられ画像形成が行われたシートを待機させる待機部と、シートサイズを入力するシートサイズ入力部と、入力されたシートサイズのシートの一周の循環時間が待機部でシートを待機させない場合のノンストップ循環時間から待機部でシートを最大待機可能時間待機させた場合の最大待機循環時間までの範囲に含まれるように再搬送手段の搬送速度を制御する制御部と、を有することを特徴とする発明が開示されている。
【特許文献１】特開２００５−１６７８５４号公報
【特許文献２】特開２００１−１６６６３５号公報
【発明の開示】
【発明が解決しようとする課題】
【０００６】
このように特許文献１には、自動原稿搬送装置（ＡＤＦ）のシートスルーと、シェーディングの動作とタイミングを適当に操作することで、その状況に応じてもっとも効率よくかつ正確にシェーディング補正を行い、読み取り画像の質を落とすこと無く原稿毎の読取の間隔を短くすることで原稿の画像読取の生産性を向上させるようにした発明が、また、特許文献２には、両面原稿の読み取りに際し、各用紙サイズに最適な搬送速度を設定して、原稿の画像読取の生産性を向上させるようにした発明が提案されている。
【０００７】
これらの従来技術は、原稿の連続読み取り動作を行う際の制御方法に関するものであるが、全原稿の画像データを読み取る動作時間が予想以上にかかってしまった場合、後続の原稿の画像データの読み取り動作をどのようにするかについては、特に開示されていない。すなわち、シートスルータイプの画像読取装置では、複数枚の原稿を読み取る場合、順次原稿を読み取り位置に送り出し、画像を順次読み取り、読み取った画像データをプリンタや通信機器などの画像出力装置に転送する。しかし、入力された画像データの転送に手間取ると、引き続いて転送されてくる後続の原稿の画像データが前原稿の画像データに混ざってしまう場合がある。このように先行の原稿の画像データに後行の原稿の画像データが混ざってしまうと、出力画像は異常画像になってしまう。
【０００８】
そこで、本発明が解決すべき課題は、連続して読み取られる原稿の画像データが混信等によって異常画像とならないようにすることにある。
【課題を解決するための手段】
【０００９】
前記目的を達成するため、第１の手段は、原稿を読取可能な位置まで搬送する原稿搬送手段と、前記原稿搬送手段により搬送された原稿を読み取る読取手段と、前記読取手段が読み取った原稿の画像データを転送する転送手段とを備えた画像読取装置において、前記転送手段によって先行の原稿の読み取りデータが転送されているときに、後続の原稿の読み取りデータの受信の有無を検知する検知手段と、前記検知手段の検知結果に基づいて前記転送手段の転送処理の続否を判断する判断手段とを備えていることを特徴とする。
【００１０】
第２の手段は、第１の手段において、前記検知手段は、後続の原稿の読み取りに関するＦＧＡＴＥ信号のアサートを認識したとき、後続の原稿の読み取りデータの受信とすることを特徴とする。
【００１１】
第３の手段は、第１の手段において、１枚の原稿を転送するのに要する転送所要時間を記憶する記憶手段を備え、前記検知手段は、先行の原稿の転送を開始してからの経過時間が前記転送所要時間を超えていた場合は、後続の原稿の読み取りデータの受信とすることを特徴とする。
【００１２】
第４の手段は、第３の手段において、前記記憶手段は所定の読取条件毎の転送所要時間を記憶し、前記検知手段は転送処理時の読取手段の状態に最も近似する読取条件の転送所要時間と前記経過時間とに基づいて検知することを特徴とする。
【００１３】
第５の手段は、原稿を読取可能な位置まで搬送する原稿搬送手段と、前記原稿搬送手段により搬送された原稿を読み取る読取手段と、前記読取手段が読み取った原稿の画像データを転送する転送手段とを備えた画像読取装置において、ＦＧＡＴＥ信号を発生させる信号発生手段と、前記信号発生手段によって前記一定間隔で発生するＦＧＡＴＥ信号について次原稿の読み取りに関するＦＧＡＴＥ信号が発生する所定時間前に前原稿の読み取りデータの転送処理が完了しているか否かを判定する判定手段と、前記判定手段によって転送処理が完了していないと判定されたとき、後続の原稿の読み取りデータの受信とする検知手段とを備えていることを特徴とする。
【００１４】
第６の手段は、第５の手段において、前記判定手段によって前原稿の読み取りデータの転送処理が完了していないと判定されたとき、前記信号発生手段は前記ＦＧＡＴＥ信号の発生を遅延させることを特徴とする。
【００１５】
第７の手段は、第１ないし第４のいずれかの手段に係る画像読取装置と、各部の制御を司るコントローラとを画像形成装置が備えていることを特徴とする。
【００１６】
第８の手段は、第７の手段において、前記判断手段の判断結果に基づいて前記画像読取装置から前記コントローラへ正常か異常かを通知することを特徴とする。
【００１７】
第９の手段は、第８の手段において、前記判断手段が前記転送処理の継続を否と判断したとき、前記画像読取装置から前記コントローラへエラー通知、又は原稿の再度の読み取りを促す通知を行うことを特徴とする。
【００１８】
第１０の手段は、第５又は第６の手段に係る画像読取装置と、各部の制御を司るコントローラとを画像形成装置が備えていることを特徴とする。
【００１９】
第１１の手段は、第１０の手段において、前記判定手段が前原稿の読み取りデータの転送処理が完了していないと判定したとき、画像読取装置から前記コントローラへエラー通知、又は原稿の再度の読み取りを促す通知を行うことを特徴とする。
【００２０】
第１２の手段は、第８、９、及び１１のいずれかの手段において、前記通知を受けたとき、前記コントローラはその旨表示手段に表示させることを特徴とする。
【００２１】
なお、後述の実施形態では、原稿搬送手段は自動原稿搬送装置２０に、読取手段はランプ１８、ミラー１６、走行体１１及びＣＣＤ１７を含む光学系に、転送手段、検知手段、判断手段、判定手段は画像読取装置側の図示しない制御回路に、コントローラは符号４に、表示手段は図示しない画像形成装置の操作パネルの表示部に、画像読取装置は符号１に、画像形成装置は画像読取装置１、画像出力装置２、アプリケーション３及びコントローラ４からなるシステムに、それぞれ対応する。
【発明の効果】
【００２２】
本発明によれば、前画像の画像データを転送中に後続の画像データが到来しても、後続の画像データの到来を検知するので、転送処理の続否を判断でき、異常画像の発生を確実に防止できる。
【発明を実施するための最良の形態】
【００２３】
以下、図面を参照し、本発明の実施形態について説明する。
【００２４】
図１は本発明の実施形態に係る画像読取装置を含む画像形成装置のシステム構成を示すブロック図である。同図において、本実施形態に係るシステムは、画像読取装置１及び画像出力装置２の２つのデバイス、動作要求を発行するアプリケーション３、及びアプリケーションからの動作要求を受けて前記画像読取装置１あるいは画像出力装置２に動作要求を発行し、前記画像読取装置１及び画像出力装置２のマネージメントを行うコントローラ４から構成されている。コントローラ４には画像データを貯えておくメモリ、あるいはハードディスクなどの画像記録装置４ａとそれを制御する画像記録制御部を含む図示しないＣＰＵが設けられている。なお、実線矢印は要求、及びコマンドを表し、白抜き矢印は画像データの流れを示し、これらの入出力制御はＣＰＵによって実行される。なお、図１に示した画像読取装置１、画像出力装置２、アプリケーション３及びコントローラ４からなるシステムが画像形成装置として機能する。
【００２５】
このシステム構成では、図示しない操作部に設けられた読み取り開始ボタンを押すと、アプリケーション３からコントローラ４に対して画像読取要求が送られる。コントローラ４はその画像読取要求を受けて、画像読取装置１に対し、要求された画像読み取り動作を行うための演算やレジスタセットなどの読み取り準備を行うように指示し、同時に読み取られた画像データを格納するためのメモリやハードディスクなどを準備するように、画像記録装置４ａに要求を送る。これに対し、画像読取装置１および画像記録装置４ａはそれぞれ読み取りが開始できる状態になった時点でコントローラ４に対する準備が完了したことをコントローラ４に通知する。コントローラ４は両者の準備完了を受けて、画像読取装置１に対し読み取り開始要求を発行する。画像読取装置１はそれを受けて実際の読み取りを行い、画像記録装置４ａに読み取ったデータを転送する。転送終了後、コントローラ４は、必要に応じて画像出力装置２に出力要求を発行する。画像出力装置２は、コントローラ４からの出力要求を受けると、画像記録装置４ａに記憶された画像データをそれぞれの媒体に出力する。
【００２６】
図２は画像読取装置１の部分断面図、図３は画像読取装置１の白基準板付近を拡大して示す図である。図２に示す画像読取装置１による原稿の読み取りでは、画像読み取りのためのランプ１８を搭載した走行体１１をシートスルー読取用のコンタクトガラス１２のシートスルー読取位置Ｐ１（図３参照）に固定し、原稿台２１に置かれた原稿を搬送し、前記シートスルー読取位置Ｐ１部分を通過させることによって読み取るシートスルーモードと、原稿台ガラス（ブックリード用コンタクトガラス）１３上に置かれた原稿の下を、走行体１１を定速で移動させることによって原稿を読み取るブックリードモードでの読み取りが可能である。なお、シートスルーモードでは、原稿台２１上の原稿は、自動原稿搬送装置２０に設けられた給紙コロ２２及びガイドコロ２３によってゴミ検知基準１４直下のシートスルー読み取り位置Ｐ１のコンタクトガラス１２上を通過し、排紙コロ２４を通じて原稿回収台２５上に排紙される。なお、図２の例ではシートスルー読取用のコンタクトガラス１２とブックリード用コンタクトガラス１３とは別体に設けているが、図３のように同じガラス１２を位置によって使い分けるようにしても良い。
【００２７】
ブックリードモードでは、ブックリード用コンタクトガラス１３の下に移動する途中で白基準板読取位置Ｐ２に走行体１１が達した時に白基準板１５を読み取ることによってシェーディング補正を行う。この場合、走行体１１が移動しても読み取り画像はミラー１６を介して撮像素子であるＣＣＤ１７に入力される。
【００２８】
シートスルーモードでは、原稿を読取位置に通過させる前に一旦走行体１１を白基準板１５の下の白基準板読み取り位置Ｐ２に移動させ、白基準板１５を読み取り、シェーディング補正を行う。次いで、白基準板１５の下に走行体１１を移動させ、シートスルー読取位置Ｐ１に戻す（以下、この走行体１１の一連の動作を「ＤＦシェーディング動作」と称す）。その後、原稿を搬送し、シートスルー用コンタクトガラス１２上を通過させる（以下、この動作を「シートスルー動作」と称す）ことによって読取を行う。
【００２９】
このように、ブックリードモードとシートスルーモードで同じ白基準板１５を用いてシェーディング補正を行うことによって、ブックリードモードとシートスルーモードのどちらで読み取りを行っても画質に差がないようになっている。
【００３０】
図４は原稿１枚目の読み取りの動作の動作タイミングを示すタイミングチャートである。１枚目の原稿の読み取りでは、コントローラ４から読み取り準備要求が発行されると、画像読取装置１は走行体１１内のランプ１８を点灯し、各動作部のパラメータの設定等を行い、終了したらコントローラ４にメモリ要求を発行し、読み取った画像を蓄えるメモリの確保をコントローラ４に要求する。また、読み取り準備要求と同時にＤＦシェーディング動作を開始する。コントローラ４は読み取りに必要なメモリの準備が完了した後、メモリ許可通知を画像読取装置１に対して発行する。
【００３１】
図４に示すように正常な読み取り動作のときは、画像有効範囲（ＦＧＡＴＥ）のアサート期間は画像読取装置１からコントローラ４への転送の動作タイミングはほぼ等しく、後原稿のＦＧＡＴＥ信号がアサートする際は必ず、前画像の転送は終了している。なお、画像データ転送とＦＧＡＴＥ信号のタイミングは略同じと述べたが、厳密には画像データ転送には少しタイムラグが存在する。また、本実施形態では、後原稿と前原稿は先に読み取られる原稿を前原稿と、この原稿の後に読み取られる原稿を後原稿と称しており、前者は先行の原稿、後者は後続の原稿に対応する。
【００３２】
図５は１枚目の原稿に続いて２枚目の原稿の読み取り動作を行ったときの異常動作の動作タイミングを示すタイミングチャートである。このタイミングチャートは、コントローラ４と画像読取装置１との間の要求と画像読取装置１の動作のタイミングを示している。まず、コントローラ４から画像読取装置１に読み取り準備要求が出力され、画像読取装置１からコントローラ４にメモリ要求が出される。これに基づいて、コントローラ４から画像読取装置１にメモリ許可通知出力され、自動原稿搬送装置２０から原稿が給紙され、シートスルー動作が開始される。そして、ＦＧＡＴＥ信号がアサートされると、読み取られた原稿の画像データが画像記録装置４ａ側に転送される。
【００３３】
読み取りが完了するとＦＧＡＴＥ信号がネゲートされ、画像読取装置１からコントローラ４側に読み取り完了が通知される。次いで、シートスルー動作が終了し、コントローラ４側から２枚目の原稿に対する読み取り準備要求が出力される。そして、画像読取装置１からメモリ要求がコントローラ４側に出され、コントローラ４側から画像読取装置１にメモリ許可通知が出力されると、２枚目の原稿が読み取り位置に給紙され、ＦＧＡＴＥ信号がアサートされて、２枚面の原稿の読み取りが開始される。しかし、図５のタイミングでは、１枚目の原稿の画像データを転送する転送時間が１枚目の原稿に関するＦＧＡＴＥ信号のアサート時間よりも長くなっているため、２枚目の原稿の画像のＦＧＡＴＥ信号がアサートした際に、１枚目の原稿の画像データはまだ転送中となっている。例えば、転送時間は変倍制御を行うと、画像データ量が変化することによって変化する。そのため、このとき得られる画像データは、２枚目の原稿のデータ、すなわち後画像のデータが１枚目すなわち前画像のデータに混ざってしまったものとなる。このように混ざってしまうと、異常画像となる。
【００３４】
図６は本実施形態における第１の異常判断処理の処理手順を示すフローチャートである。この処理手順では、原稿の読み取り動作が開始されると、自動原稿搬送装置２０によって原稿が給紙され（ステップＳ１０１）、後続の原稿に関するＦＧＡＴＥ信号がアサートされ（ステップＳ１０２）原稿の読み取りが行われる。次いで、前の原稿の画像データが転送中か否かをチェックし（ステップＳ１０３）、転送中であれば前の原稿の転送処理が終了していないのでエラーと判断し（ステップＳ１０５）、転送中でなければ後続の原稿の画像データが前の原稿の画像データと混じる虞はないので、転送処理を続行する（ステップＳ１０４）。このように図６に示した処理手順では、画像データ転送中に後続の原稿の読み取りに関するＦＧＡＴＥ信号がアサートされたことを確認することが可能となり、これにより後続の原稿の画像データの受信を検知することができる。なお、前記転送中か否かはソフト内部に記憶しておき、転送中にＦＧＡＴＥ信号がアサートされた場合、画像データの受信を検知したと判断する。
【００３５】
図７は第２の異常判断処理の処理手順を示すフローチャートである。この第２の異常判断処理では、コントローラ４で１枚の原稿を転送するのに要する転送時間を記憶しておき、記憶された転送時間と実際の転送時間を比較することによって異常の有無を判断している。すなわち、この処理手順では、原稿の読み取り動作が開始されると、自動原稿搬送装置２０によって原稿が給紙され（ステップＳ２０１）、ＦＧＡＴＥ信号がアサートされ（ステップＳ２０２）、原稿の読み取りが行われ、画像データが転送される（ステップＳ２０３）。一方、コントローラ４は１枚の原稿の画像データを転送するのに要する転送時間を記憶しているので、この予想転送時間と実際の原稿の画像データの転送時間とを比較する（ステップＳ２０４）。実際の転送時間が予想時間以下の場合は（ステップＳ２０４−ＮＯ）、画像データの転送を続行し（ステップＳ２０５）、実際の転送時間が予想時間より長い場合は（ステップＳ２０４-ＹＥＳ）、エラーと判断する（ステップＳ２０６）。 このように第２の以上判断処理では、原稿読み取りの際、１枚当たりの原稿の画像データの所要転送時間を算出して記憶しておき、ステップＳ２０４のチェックで実際の転送時間がこの予想所要転送時間を超えた場合、異常と判断する。
【００３６】
図８は第３の異常判断処理の処理手順を示すフローチャートである。この第３の異常判断処理では、読み取り動作を行った際、読み取りモード、変倍率、転写紙サイズ、原稿サイズ等の各読み取り条件と、その読み取り条件に対応した実際の転送時間をコントローラ４で記憶しておき、以降の読み取り動作においては、一致する読み取り条件について実際の転送時間を記憶していた場合は、記憶した実際の転送時間を所要転送時間とし、一致する読み取り条件についての実際の転送時間が記憶されていなかった場合は、第２の異常判断処理と同様の処理を行うものである。
【００３７】
すなわち、原稿の読み取り動作を開始すると、自動原稿搬送装置２０によって原稿が給紙され（ステップＳ３０１）、ＦＧＡＴＥ信号がアサートされ（ステップＳ３０２）、原稿の読み取り、及び画像データの転送が行われる（ステップＳ３０３）。次いで、読み取り条件に合った実転送時間が記憶されているか否かがチェックされ（ステップＳ３０４）、記憶されている場合は予想転送時間に記憶した実転送時間をセットし（ステップＳ３０５）、予想転送時間と実際の転送時間との比較する（ステップＳ３０６）。ステップＳ３０４において実転送時間が記憶されていない場合は、ステップＳ３０５の処理をスキップしてステップＳ３０６の処理を行う。
【００３８】
このチェックで実際の転送時間が予想転送時間以下の場合には、画像データの転送を続行し（ステップＳ３０７）、実際の転送時間が予想転送時間より長い場合は、エラーと判断する（ステップＳ３０８）。このように処理することにより、転送処理時の画像読取装置１の状態に最も近似する読取条件の予想転送時間と実際の転送時間とに基づいて、異常検出を行うことが可能となる。
【００３９】
なお、これらの制御は図示しない画像読取装置の制御回路で実行される。すなわち、この制御は当該制御回路の図示しないＣＰＵが図示しないＲＯＭに格納されたプログラムコードを読み出し、ＲＡＭをワークエリアとして使用しながら実行する。そのため、本実施形態では、前記特許請求の範囲における転送手段、検知手段、判断手段、及び判定手段はソフトウェアとして構成されている。
【００４０】
図９は連続的に原稿を読み取る場合の動作タイミングを示すタイミングチャート、図１１はそのときの異常検知の処理手順を示すフローチャートである。図９のタイミングチャート自体は、図５のタイミングチャートと同等なので重複する説明は省略する。図９のタイミングチャートにおいて、連続的に原稿を読み取るノンストップ動作時はＦＧＡＴＥ信号の間隔が一定である。そのため、ＦＧＡＴＥ信号のアサートタイミングは予想できるため、ＦＧＡＴＥ信号をアサートする直前に前原稿の画像データが転送中か否かを検知する。このタイミングチャートでは、２枚目の原稿のメモリ許可通知の後、２枚目の原稿に関するＦＧＡＴＥ信号のアサート直前に画像データ転送の状態をチェックしている。このチェック結果によって転送処理の続否を判断することができる。
【００４１】
すなわち、読み取りを開始すると、自動原稿搬送装置２０によって原稿の給紙が行われ（ステップＳ４０１）、２枚目の原稿の画像データが転送中か否かをチェックする（ステップＳ４０２）。転送中であればエラーと判断し（ステップＳ４０５）、転送中でない場合は、ＦＧＡＴＥ信号がアサートされ（ステップＳ４０３）、原稿の読み取りを行い、読み取った原稿の画像データを転送する（ステップＳ４０４）。このようにして読み取りの異常を判断することができ、異常の場合に異常発生を回避することが可能となる。
【００４２】
また、ステップＳ４０２で２枚目の原稿の画像データが転送中であると判断されると（例えば図９の状態）、ＦＧＡＴＥ信号の出力タイミングを遅延させることにより、２枚目の原稿の読み取りに関するＦＧＡＴＥ信号出力前に１枚目の原稿の読み取りデータの転送を完了させることができる。これにより正常な状態で読み取り動作とデータ転送動作を継続することができる。
【００４３】
なお、ステップＳ１０５、ステップＳ２０６、ステップＳ３０８及びステップＳ４０５でエラーと判断された場合には、その旨コントローラ４に通知する。あるいは、このエラー通知に代えて原稿の再度の読み取りを促す通知をコントローラ４に対して行う。コントローラ４は、これらの通知を受けて、画像形成装置の図示しない操作パネルの表示部にエラー表示、あるいは原稿の再度の読み取りを促す表示が行われる。
【図面の簡単な説明】
【００４４】
【図１】本発明に係る画像読取装置のシステム構成を示す概略図である。
【図２】画像読取装置の部分断面図である。
【図３】画像読取装置の一部を拡大して示す図である。
【図４】原稿１枚目の読み取りの動作タイミングチャートである。
【図５】１枚目の原稿に続けて２枚目の原稿の読み取り動作を行ったときの異常動作のタイミングチャートである。
【図６】第１の異常判断動作を説明するためのフローチャートである。
【図７】第２の異常判断動作を説明するためのフローチャートである。
【図８】第３の異常判断動作を説明するためのフローチャートである
【図９】連続的に原稿を読み取る場合の動作タイミングチャートである。
【図１０】図１０における検知のフローチャートである。
【符号の説明】
【００４５】
１  画像読取装置
２  画像出力装置
３  アプリケーション
４  コントローラ
４ａ  記録媒体
１１  走行体
１７  ＣＣＤ  
１８  ランプ
２０  自動原稿搬送装置
【図１】
2009124391.tif 000003
【図２】
2009124391.tif 000004
【図３】
2009124391.tif 000005
【図４】
2009124391.tif 000006
【図５】
2009124391.tif 000007
【図６】
2009124391.tif 000008
【図７】
2009124391.tif 000009
【図８】
2009124391.tif 000010
【図９】
2009124391.tif 000011
【図１０】
2009124391.tif 000012